(57)【要約】【課題】光源とフォーカスレンズとの最大離間距離はより長く、光源とフォーカスレンズとの最小離間距離はより短く相対的に変動させることができ、また、光源とフォーカスレンズとの距離の変動操作を簡単に行い得る照明装置を提供すること。【解決手段】照明装置１は、操作により前部筐体４を中部筐体９に対して後方移動させると共に当該後方移動と同期して後部筐体８を中部筐体９に対して前方移動させる一方、前部筐体４を中部筐体９に対して前方移動させると共に当該前方移動と同期して後部筐体８を中部筐体９に対して後方移動させる前後移動操作手段１２を具備している。【選択図】図１
2011086559.tif 000002
【特許請求の範囲】
【請求項１】
前壁にフォーカスレンズが設けられていると共に後方が開放されている前部筐体と、この前部筐体に対して後方に配されており、後壁にフォーカスレンズを介して投光されるべき光を発光する光源が設けられていると共に前方が開放されている後部筐体と、前部筐体及び後部筐体間に配されていると共に当該前部筐体の後方の部位及び当該後部筐体の前方の部位を取り囲んでいる中部筐体と、前部筐体を中部筐体に対して相対的に前後方向に移動自在に連結する前部連結機構と、後部筐体を中部筐体に対して相対的に前後方向に移動自在に連結する後部連結機構と、操作により前部筐体を中部筐体に対して後方移動させると共に当該後方移動と同期して後部筐体を中部筐体に対して前方移動させる一方、前部筐体を中部筐体に対して前方移動させると共に当該前方移動と同期して後部筐体を中部筐体に対して後方移動させる前後移動操作手段とを具備しており、前部筐体の前後方向に伸びた周壁は、中部筐体の内部において後部筐体と重ね合わされて配置可能となるように、後部筐体の前後方向に伸びた周壁に対して外周側又は内周側に配されており、前後移動操作手段は、中部筐体に回転自在に支持されていると共に中部筐体に対する回転軸心から離反した一対の操作部を有した棒状操作部材と、棒状操作部材を前部筐体及び後部筐体に連結しており、操作により回転される棒状操作部材の当該回転を前部筐体の中部筐体に対する後方移動力として前部筐体に伝達すると共に後部筐体の中部筐体に対する前方移動力として後部筐体に伝達する一方、操作により逆回転される棒状操作部材の当該逆回転を前部筐体の中部筐体に対する前方移動力として前部筐体に伝達すると共に後部筐体の中部筐体に対する後方移動力として後部筐体に伝達する操作伝達手段とを具備している照明装置。
【請求項２】
棒状操作部材の中部筐体に対する回転軸心は、一対の操作部を結ぶ線上に位置している請求項１に記載の照明装置。
【請求項３】
一対の操作部の夫々から棒状操作部材の中部筐体に対する回転軸心までの距離は互いに等しい請求項１又は２に記載の照明装置。
【請求項４】
棒状操作部材は、前後方向に伸びた棒状本体と、この棒状本体の一端に上に向かって凹状に形成された引っ掛け部からなる一対の操作部のうちの一方と、棒状本体の他端に上に向かって凹状に形成された引っ掛け部からなる一対の操作部のうちの他方とを具備している請求項１から３のいずれか一項に記載の照明装置。
【請求項５】
操作伝達手段は、一対の操作部のうちの一方の操作に基づいて前部筐体の中部筐体に対する後方移動及び後部筐体の中部筐体に対する前方移動を機械的に同期して生じさせる一方、一対の操作部のうちの他方の操作に基づいて前部筐体の中部筐体に対する前方移動及び後部筐体の中部筐体に対する後方移動を機械的に同期して生じさせるようになっている請求項１から４のいずれか一項に記載の照明装置。
【請求項６】
操作伝達手段は、歯が形成された円弧面を有していると共に、一対の操作部のうちの一方の操作による棒状操作部材の回転量に応じて所定量回転する一方、一対の操作部のうちの他方の操作による棒状操作部材の逆回転量に応じて所定量逆回転するように棒状操作部材に連結されている歯付き回転部材と、この歯付き回転部材の歯に歯合していると共に中部筐体に回転自在に支持されているピニオンと、前部筐体及び後部筐体のうちの一方に固着されていると共にピニオンに歯合している前後方向に伸びたラック部材と、ラック部材との間にピニオンが位置するように前部筐体及び後部筐体のうちの他方に固着されていると共にピニオンに歯合している前後方向に伸びた他のラック部材とを具備している請求項１から５のいずれか一項に記載の照明装置。
【請求項７】
歯付き回転部材は、ピニオンに対して大径である請求項６に記載の照明装置。
【発明の詳細な説明】
【技術分野】
【０００１】
本発明は、テレビスタジオ、写真スタジオ、舞台等で使用するスポットライト等の照明装置に関する。
【背景技術】
【０００２】
例えば、特許文献１においては、光源とフォーカスレンズとの離間距離を相対的に変動させる移動機構（特許文献１の発明の詳細な説明の段落００４２等参照）を有したスポットライトからなる照明装置が提案されている。
【先行技術文献】
【特許文献】
【０００３】
【特許文献１】特開２００７−５９２２０号公報
【発明の概要】
【発明が解決しようとする課題】
【０００４】
ところで、斯かる照明装置では、光源とフォーカスレンズとの最大離間距離はより長く、光源とフォーカスレンズとの最小離間距離はより短く相対的に変動可能であり、また、光源とフォーカスレンズとの距離の変動操作を簡単に行えることが望ましい。
【０００５】
本発明は、前記諸点に鑑みてなされたものであり、その目的とするところは、光源とフォーカスレンズとの最大離間距離はより長く、光源とフォーカスレンズとの最小離間距離はより短く相対的に変動させることができ、また、光源とフォーカスレンズとの距離の変動操作を簡単に行い得る照明装置を提供することにある。
【課題を解決するための手段】
【０００６】
本発明の照明装置は、前壁にフォーカスレンズが設けられていると共に後方が開放されている前部筐体と、この前部筐体に対して後方に配されており、後壁にフォーカスレンズを介して投光されるべき光を発光する光源が設けられていると共に前方が開放されている後部筐体と、前部筐体及び後部筐体間に配されていると共に当該前部筐体の後方の部位及び当該後部筐体の前方の部位を取り囲んでいる中部筐体と、前部筐体を中部筐体に対して相対的に前後方向に移動自在に連結する前部連結機構と、後部筐体を中部筐体に対して相対的に前後方向に移動自在に連結する後部連結機構と、操作により前部筐体を中部筐体に対して後方移動させると共に当該後方移動と同期して後部筐体を中部筐体に対して前方移動させる一方、前部筐体を中部筐体に対して前方移動させると共に当該前方移動と同期して後部筐体を中部筐体に対して後方移動させる前後移動操作手段とを具備しており、前部筐体の前後方向に伸びた周壁は、中部筐体の内部において後部筐体と重ね合わされて配置可能となるように、後部筐体の前後方向に伸びた周壁に対して外周側又は内周側に配されており、前後移動操作手段は、中部筐体に回転自在に支持されていると共に中部筐体に対する回転軸心から離反した一対の操作部を有した棒状操作部材と、棒状操作部材を前部筐体及び後部筐体に連結しており、操作により回転される棒状操作部材の当該回転を前部筐体の中部筐体に対する後方移動力として前部筐体に伝達すると共に後部筐体の中部筐体に対する前方移動力として後部筐体に伝達する一方、操作により逆回転される棒状操作部材の当該逆回転を前部筐体の中部筐体に対する前方移動力として前部筐体に伝達すると共に後部筐体の中部筐体に対する後方移動力として後部筐体に伝達する操作伝達手段とを具備している。
【０００７】
本発明の照明装置によれば、特に、前部筐体を中部筐体に対して相対的に前後方向に移動自在に連結する前部連結機構と、後部筐体を中部筐体に対して相対的に前後方向に移動自在に連結する後部連結機構とを具備しており、前部筐体の前後方向に伸びた周壁は、中部筐体の内部において後部筐体と重ね合わされて配置可能となるように、後部筐体の前後方向に伸びた周壁に対して外周側又は内周側に配されているために、光源とフォーカスレンズとの最大離間距離はより長く、光源とフォーカスレンズとの最小離間距離はより短く相対的に変動させることができ、また、光源とフォーカスレンズとの離間距離を最小にすることで照明装置全体をコンパクトにし得、搬送、設置の容易化を図り得、加えて、操作により前部筐体を中部筐体に対して後方移動させると共に当該後方移動と同期して後部筐体を中部筐体に対して前方移動させる一方、前部筐体を中部筐体に対して前方移動させると共に当該前方移動と同期して後部筐体を中部筐体に対して後方移動させる前後移動操作手段とを具備しており、斯かる前後移動操作手段は、中部筐体に回転自在に支持されていると共に中部筐体に対する回転軸心から離反した一対の操作部を有した棒状操作部材と、棒状操作部材を前部筐体及び後部筐体に連結しており、操作により回転される棒状操作部材の当該回転を前部筐体の中部筐体に対する後方移動力として前部筐体に伝達すると共に後部筐体の中部筐体に対する前方移動力として後部筐体に伝達する一方、操作により逆回転される棒状操作部材の当該逆回転を前部筐体の中部筐体に対する前方移動力として前部筐体に伝達すると共に後部筐体の中部筐体に対する後方移動力として後部筐体に伝達する操作伝達手段とを具備しているために、光源とフォーカスレンズとの距離の変動操作を簡単に行い得、例えば図１５に示すように、照明装置が天井等に吊り下げられている場合においても、先端にフックが形成された操作棒で棒状操作部材の一対の操作部のいずれかを引き下げ操作することで光源とフォーカスレンズとの距離の変動操作を簡単に行い得る。
【０００８】
棒状操作部材の中部筐体に対する回転軸心は、一対の操作部を結ぶ線上に位置している。
【０００９】
一対の操作部の夫々から棒状操作部材の中部筐体に対する回転軸心までの距離は互いに等しい。
【００１０】
棒状操作部材は、前後方向に伸びた棒状本体と、この棒状本体の一端に上に向かって凹状に形成された引っ掛け部からなる一対の操作部のうちの一方と、棒状本体の他端に上に向かって凹状に形成された引っ掛け部からなる一対の操作部のうちの他方とを具備している。
【００１１】
操作伝達手段は、一対の操作部のうちの一方の操作に基づいて前部筐体の中部筐体に対する後方移動及び後部筐体の中部筐体に対する前方移動を機械的に同期して生じさせる一方、一対の操作部のうちの他方の操作に基づいて前部筐体の中部筐体に対する前方移動及び後部筐体の中部筐体に対する後方移動を機械的に同期して生じさせるようになっている。
【００１２】
操作伝達手段は、歯が形成された円弧面を有していると共に、一対の操作部のうちの一方の操作による棒状操作部材の回転量に応じて所定量回転する一方、一対の操作部のうちの他方の操作による棒状操作部材の逆回転量に応じて所定量逆回転するように棒状操作部材に連結されている歯付き回転部材と、この歯付き回転部材の歯に歯合していると共に中部筐体に回転自在に支持されているピニオンと、前部筐体及び後部筐体のうちの一方に固着されていると共にピニオンに歯合している前後方向に伸びたラック部材と、ラック部材との間にピニオンが位置するように前部筐体及び後部筐体のうちの他方に固着されていると共にピニオンに歯合している前後方向に伸びた他のラック部材とを具備している。
【００１３】
歯付き回転部材は、ピニオンに対して大径である。
【発明の効果】
【００１４】
本発明によれば、光源とフォーカスレンズとの最大離間距離はより長く、光源とフォーカスレンズとの最小離間距離はより短く相対的に変動させることができ、また、光源とフォーカスレンズとの距離の変動操作を簡単に行い得る照明装置を提供し得る。
【図面の簡単な説明】
【００１５】
【図１】本発明の実施の形態の例の側面視説明図である。
【図２】図１に示す例の一部を省略した側面視説明図である。
【図３】図１に示す例の主に前後移動操作手段の説明図である。
【図４】図１に示す例の底面視説明図である。
【図５】図１に示す例の正面視説明図である。
【図６】図１に示す例の主に光源に関する説明図である。
【図７】図１に示すＶＩＩ−ＶＩＩ線矢視断面拡大説明図である。
【図８】図１に示すＶＩＩＩ−ＶＩＩＩ線矢視断面拡大説明図である。
【図９】図４に示すＩＸ−ＩＸ線矢視断面拡大説明図である。
【図１０】図４に示すＸ−Ｘ線矢視断面拡大説明図である。
【図１１】図１に示す例の動作説明図である。
【図１２】図１１に示す例の一部省略説明図である。
【図１３】図１に示す例の動作説明図である。
【図１４】図１３に示す例の一部省略説明図である。
【図１５】図１に示す例の使用の一例を示す簡略図である。
【発明を実施するための形態】
【００１６】
次に本発明を、図に示す好ましい実施の形態の例に基づいて更に詳細に説明する。なお、本発明はこれら例に何等限定されないのである。
【実施例】
【００１７】
図１から図１５において、本例の照明装置１は、前壁２にフォーカスレンズ３が設けられていると共に後方が開放されている前部筐体４と、前部筐体４に対して後方に配されており、後壁６にフォーカスレンズ３を介して投光されるべき光を発光する光源７が設けられていると共に前方が開放されている後部筐体８と、前部筐体４及び後部筐体８間に配されていると共に当該前部筐体４の後方の部位及び当該後部筐体８の前方の部位を取り囲んでいる中部筐体９と、前部筐体４を中部筐体９に対して相対的にＸ方向（前後方向）に移動自在に連結する前部連結機構１０と、後部筐体８を中部筐体９に対して相対的にＸ方向に移動自在に連結する後部連結機構１１と、操作により前部筐体４を中部筐体９に対して後方移動させると共に当該後方移動と同期して後部筐体８を中部筐体９に対して前方移動させる一方、前部筐体４を中部筐体９に対して前方移動させると共に当該前方移動と同期して後部筐体８を中部筐体９に対して後方移動させる前後移動操作手段１２とを具備している。本例の照明装置１は、例えば図１５に示すようにテレビスタジオ照明用のスポットライトとして天井から吊り下げて用いられる。
【００１８】
前部筐体４は、上記の前壁２と、前壁２の周縁２１からＸ方向において後方に向かって伸びている筒状の周壁２２とを具備しており、前壁２には、フォーカスレンズ３が装着されている。フォーカスレンズ３は、アクリルレンズからなり、正面視円形状である。周壁２２の後方端２３は、光源７からの光がフォーカスレンズ３を介して投光されるように開放されている。前壁２の周縁２１には、カラーフィルタ等のフィルタを保持する保持具２４が装着されている。斯かる前部筐体４は、正面視又は背面視において四角形状、六角形状、八角形状等の多角形状であってもよく、また円形状であってもよい。
【００１９】
前部筐体４のＸ方向に伸びた周壁２２は、当該前部筐体４が中部筐体９に対してＸ方向において後方に移動された場合には、中部筐体９の内部において後部筐体８と重ね合わされて配置可能となるように、後部筐体８のＸ方向に伸びた周壁３２に対して外周側に配されている。尚、本例では、周壁２２は、周壁３２の外周側に配されているが、その逆の内周側に配されるようになっていても、中部筐体９の内部において後部筐体８と重ね合わされて配置可能となる。
【００２０】
後部筐体８は、上記の後壁６と、後壁６の周縁３１からＸ方向において前方に向かって伸びている筒状の周壁３２とを具備しており、後壁６には光源７が着脱自在に装着されている。周壁３２の前方端３３は、光源７からの光がフォーカスレンズ３を介して投光されるように開放されている。後壁６の後方側の面には、光源７からの熱を放熱する放熱板３４が装着されている。斯かる後部筐体８は、前部筐体４と同様に、正面視又は背面視において四角形状、六角形状、八角形状等の多角形状であってもよく、また円形状であってもよい。
【００２１】
周壁３２の底部３５は、中部筐体９に対して凹状となっており、斯かる凹状の底部３５には、後部連結機構１１が配される。後部筐体８のＸ方向に伸びた周壁３２は、当該後部筐体８が中部筐体９に対してＸ方向において前方に移動された場合には、中部筐体９の内部において前部筐体４と重ね合わされる領域が拡大されて配置可能となるように、前部筐体４のＸ方向に伸びた周壁２２に対して内周側に配されている。尚、本例では、周壁３２は、周壁２２の内周側に配されているが、その逆の外周側に配されるようになっていても、中部筐体９の内部において後部筐体８と重ね合わされて配置可能となる。
【００２２】
光源７は、例えば図６に示すように、複数個の発光ダイオード４１が配置された平面状の発光面４２を有している。発光面４２は正面視円形状である。発光面４２はその投光側においてアクリルフレネルレンズに覆われていてもよい。発光ダイオード４１は、発光面４２の中心から放射方向において複数個、本例では図８に示すように四個並んで配列されている。このように配列された四個の発光ダイオード４１は、発光面４２の中心及びその周縁部の夫々に配置された両極４３及び４４に放射方向において挟まれ且つ電気的に接続されている。斯かる光源７は、後壁６に着脱自在に嵌合乃至螺合される。尚、光源７に電力供給する電源４５は、後部筐体８の内部に装着されていてもよい。斯かる光源７は、例えば白熱電球１ｋＷの照明と同等の照明を６０Ｗ程度で行い得、而して、消費電力、発熱量を著しく減少させることができ、また、電源ケーブル等の縮径化等をも図り得る。
【００２３】
筒状の中部筐体９は、前部筐体４及び後部筐体８と同様に、正面視又は背面視において四角形状、六角形状、八角形状等の多角形状であってもよく、また円形状であってもよい。中部筐体９は、筒状の周壁５１と、周壁５１の底部壁５２に対して内周側に配された内部壁５３と、底部壁５２及び内部壁５３の後方端を連結している連結壁５４とを具備している。底部壁５２、内部壁５３及び連結壁５４の断面は、例えば図９に示すようにＵ形状である。底部壁５２、内部壁５３及び連結壁５４によって形成されるスリット部分５５には、周壁２２がＸ方向において移動自在に配されており、内部壁５３に対して内側の部分には周壁３２がＸ方向において移動自在に配されている。
【００２４】
中部筐体９の側部壁６０には、吊下げ支持される支持枠５６が設けられている。主にＸ方向に直交する上下方向に関する投光角の調整は、支持枠５６の摘み５７を緩めて当該支持枠５６を除く照明装置１全体をＸ方向及び上下方向に直交するＹ方向に伸びる軸心を中心として回転させ、その後摘み５７を締めて上下方向に関する所望の投光角を保持することによって行う。尚、支持枠５６の中部筐体９に対する取付位置は、支持枠５６を除く照明装置１全体の重心に配されてもよい。支持枠５６は、例えば図１５に示すように、テレビスタジオ等の天井面７４に垂下された支持軸７５に装着される。支持軸７５は入れ子式伸縮管等からなる。
【００２５】
前部連結機構１０は、例えば図７から図１０に示すように、周壁２２の底部２５にＸ方向に伸びて取り付けられたレール体６１と、上下方向においてレール体６１に対向して配されるように内部壁５３にＸ方向に伸びて取り付けられているレール体６２と、レール体６１及び６２を互いに相対的にＸ方向に移動自在に連結させるべく当該レール体６１及び６２の夫々にＸ方向に移動自在に嵌合しているＸ方向に伸びたスライダ部材６３とを具備している。レール体６１及び６２は、互いに同等の長さを有している。スライダ部材６３の長さは、レール体６１及び６２の長さに対して短いか又は同等である。レール体６２が取り付けられている内部壁５３の取付部５８は、当該内部壁５３の取付部５８を除く部分に対して内周側に折り曲げられて凹状の底部３５に画成される空間に配置されており、斯かる取付部５８に取り付けられているレール体６２もまた前記空間に配置されており、これにより、前部連結機構１０を後部連結機構１１に対して隣接して配置することができるので、中部筐体９から後部筐体８までの壁厚を薄く形成し得る。
【００２６】
後部連結機構１１は、例えば図７から図１０に示すように、底部３５にＸ方向に伸びて取り付けられたレール体６６と、上下方向においてレール体６６に対向して配されるように内部壁５３にＸ方向に伸びて取り付けられているレール体６７と、レール体６６及び６７を互いに相対的にＸ方向に移動自在に連結させるべく当該レール体６６及び６７の夫々にＸ方向に移動自在に嵌合しているＸ方向に伸びたスライダ部材６８とを具備している。レール体６６及び６７は、互いに同等の長さを有している。スライダ部材６８の長さは、レール体６６及び６７の長さに対して短いか又は同等である。レール体６１及び６２並びにレール対６６及び６７は夫々互いに同等の長さを有している。
【００２７】
前部連結機構１０は、中部筐体９に対するＸ方向の移動力が前部筐体４に与えられた場合にレール体６１のレール体６２に対するＸ方向の移動を生じるようになっており、後部連結機構１１は、中部筐体９に対するＸ方向の移動力が後部筐体８に与えられた場合にレール体６６のレール体６７に対するＸ方向の移動を生じるようになっている。
【００２８】
尚、前部連結機構１０は、前部筐体４の周壁２２に設けられた長孔又はスリット７１及び中部筐体９に固定されていると共に長孔又はスリット７１に配されるピン等からなる突部７２を有してなる案内手段７３を具備しており、斯かる案内手段７３により前部筐体４の中部筐体９に対する相対的なＸ方向の移動を案内するようになっていてもよく、加えて、前部筐体４の中部筐体９に対する相対的なＸ方向の最大移動距離を規定するようになっていてもよい。また、前部連結機構１０は、案内手段７３と同様に形成された案内手段を具備して、後部筐体８の中部筐体９に対する相対的なＸ方向の移動を案内するようになっていてもよく、加えて、後部筐体８の中部筐体９に対する相対的なＸ方向の最大移動距離を規定するようになっていてもよい。
【００２９】
前後移動操作手段１２は、中部筐体９に回転自在に支持されていると共に中部筐体９に対する回転軸心Ｃ１から離反した一対の操作部８１及び８２を有した棒状操作部材８３と、棒状操作部材８３を前部筐体４及び後部筐体８に連結しており、操作によりＲ１方向に回転される棒状操作部材８３の当該Ｒ１方向の回転を前部筐体４の中部筐体９に対する後方移動力として前部筐体４に伝達すると共に後部筐体８の中部筐体９に対する前方移動力として後部筐体８に伝達する一方、操作によりＲ２方向に逆回転される棒状操作部材８３の当該Ｒ２方向の逆回転を前部筐体４の中部筐体９に対する前方移動力として前部筐体４に伝達すると共に後部筐体８の中部筐体９に対する後方移動力として後部筐体８に伝達する操作伝達手段９９とを具備している。
【００３０】
棒状操作部材８３は、Ｘ方向に伸びた棒状本体８０と、棒状本体８０の一端に上に向かって凹状に形成された引っ掛け部からなる上述の操作部８１と、棒状本体８０の他端に上に向かって凹状に形成された引っ掛け部からなる上述の操作部８２とを具備している。
【００３１】
棒状操作部材８３の中部筐体９に対する回転軸心Ｃ１は、操作部８１及び８２を結ぶ線上に位置しており、操作部８１及び８２の夫々から回転軸心Ｃ１までの距離は互いに等しい。
【００３２】
棒状操作部材８３の回転軸心Ｃ１と中部筐体９に回転自在に設けられた支持枠５６の回転軸心とは互いに同心であり、このため、前部筐体４及び後部筐体８の夫々が中部筐体９に対して相対的にＸ方向に移動されても、照明装置１全体の重心位置が変動する虞を減少させ得、而して、所望の投光を行い得る。
【００３３】
操作伝達手段９９は、例えば図２及び図３に示すように、歯８４が形成された半円弧状の円弧面８５を有していると共に、操作部８１の引き下げ操作による棒状操作部材８３のＲ１方向の回転量に応じてＲ１方向に所定量回転する一方、操作部８２の引き下げ操作による棒状操作部材８３のＲ２方向の逆回転量に応じてＲ２方向に所定量逆回転するように棒状操作部材８３に連結されている歯付き回転部材８６と、歯付き回転部材８６の歯８４に歯合していると共に中部筐体９に回転自在に支持されているピニオン８９と、前部筐体４に固着されていると共にピニオン８９に歯合しているＸ方向に伸びたラック部材８７と、ラック部材８７との間にピニオン８９が位置するように後部筐体８に固着されていると共にピニオン８９に歯合しているＸ方向に伸びたラック部材８８とを具備している。
【００３４】
歯付き回転部材８６及びピニオン８９は、中部筐体９の側部壁６０に夫々回転自在に支持されている。ラック部材８７及び８８は、前部筐体４と後部筐体８との間に介在しており、ラック部材８７は周壁２２の側部２６の内周側に固着されており、ラック部材８８は周壁３２の側部３６の外周側に固着されている。
【００３５】
歯付き回転部材８６の回転軸９０は、支持枠５６を貫いて棒状操作部材８３の長手方向における中央部に取り付けられている。歯付き回転部材８６のＲ１方向の回転は、例えば図１２に示すように、中部筐体９に設けられた突状のストッパ９１に当接することによって制限され、歯付き回転部材８６のＲ２方向の回転は、例えば図１４に示すように、ストッパ９１に当接することによって制限される。尚、歯付き回転部材８６は、ピニオン８９に対して大径であり、これにより、前部筐体４及び後部筐体８のＸ方向における移動量に対して棒状操作部材８３の回転量を減少させ得、而して、所望のフォーカス操作を簡単に行い得る。尚、棒状操作部材８３の回転量と前部筐体４及び後部筐体８の夫々のＸ方向の移動量との比率は、歯付き回転部材８６とピニオン８９との径を調整することにより設定される。
【００３６】
ピニオン８９は、後部筐体８の側部３６の外周側から前部筐体４の周壁２２の側部２６に形成されたＸ方向に伸びたスリット９２を介して中部筐体９まで伸びており、ピニオン８９の軸９３は中部筐体９に回転自在に取り付けられている。ピニオン８９の後部筐体８側の部位は、ラック部材８７及び８８に歯合しており、ピニオン８９の中部筐体９側の部位は、歯付き回転部材８６に歯合している。斯かるピニオン８９は、歯付き回転部材８６の回転及び逆回転をＸ方向の移動力としてラック部材８７及び８８に機械的に同期して伝達するように配されている。
【００３７】
斯かる操作伝達手段９９は、一対の操作部８１及び８２のうちの一方の操作に基づいて前部筐体４の中部筐体９に対する後方移動及び後部筐体８の中部筐体９に対する前方移動を機械的に同期して生じさせる一方、一対の操作部８１及び８２のうちの他方の操作に基づいて前部筐体４の中部筐体９に対する前方移動及び後部筐体８の中部筐体９に対する後方移動を機械的に同期して生じさせるようになっている。
【００３８】
支持枠５６を除いた照明装置１全体の重心は、好ましくは、棒状操作部材８３の回転軸心Ｃ１及び支持枠５６の回転軸心を通る線上に位置しており、棒状操作部材８３の操作に基づくラック部材８７の後方移動量及びラック部材８８の前方移動量は互いに等しく、棒状操作部材８３の操作に基づくラック部材８７の前方移動量及びラック部材８８の後方移動量は互いに等しく、斯かる場合には、前部筐体４及び後部筐体８の夫々が中部筐体９に対して相対的にＸ方向に移動されても、照明装置１全体の重心位置が変動する虞を著しく減少させ得、而して、所望の投光を行い得る。
【００３９】
以上の照明装置１では、操作部８１の引き下げ操作により棒状操作部材８３をＲ１方向に回転させ、この回転により歯付き回転部材８６をＲ１方向に回転させ、この回転をＸ方向の移動力としてピニオン８９がラック部材８７及び８８に機械的に同期して伝達し、このようにして、ラック部材８７が固着された前部筐体４を中部筐体９に対して前方に移動させ、これと同期してラック部材８８が固着された後部筐体８を中部筐体９に対して後方に移動させ、而して、図１に示す光源７とフォーカスレンズ３との距離を図１１及び図１２に示すように長くする。
【００４０】
また、操作部８２の引き下げ操作により棒状操作部材８３をＲ２方向に逆回転させ、この逆回転により歯付き回転部材８６をＲ２方向に逆回転させ、この逆回転をＸ方向の移動力としてピニオン８９がラック部材８７及び８８に機械的に同期して伝達し、このようにして、ラック部材８７が固着された前部筐体４を中部筐体９に対して後方に移動させ、これと同期してラック部材８８が固着された後部筐体８を中部筐体９に対して前方に移動させ、而して、図１に示す光源７とフォーカスレンズ３との距離を図１３及び図１４に示すように短くする。
【００４１】
尚、棒状操作部材８３のＲ２方向の逆回転に基づいて、前部筐体４が中部筐体９に対して後方に移動され、後部筐体８が中部筐体９に対して前方に移動された場合には、中部筐体９の内部には前部筐体４及び後部筐体８の周壁２２及び３２が収容され、周壁３２は周壁２２の内側に配置され、而して、前部筐体４の周壁２２及び後部筐体８の周壁３２は中部筐体９の内部において互いに重ね合わされる。このように周壁２２及び３２が重ね合わされた照明装置１は図１３に示すようにコンパクトになる。また、棒状操作部材８３のＲ１方向の回転に基づいて、前部筐体４が中部筐体９に対して前方に移動され、後部筐体８が中部筐体９に対して後方に移動された場合には、前部筐体４及び後部筐体８の周壁２２及び３２が中部筐体９の内部から抜き出され、上述の周壁２２及び３２の重ね合わせは解除されて図１に示す状態又は図１１及び１２に示す長尺の状態となる。
【００４２】
本例の照明装置１が例えば図１５に示すようにテレビスタジオ等の天井等に吊り下げられている場合には、先端にフックが形成された操作棒７６で棒状操作部材８３の一対の操作部８１及び８２のいずれかを引き下げ操作することで光源７とフォーカスレンズ３との距離の変動操作を簡単に行い得る。
【００４３】
本例の照明装置１によれば、前壁２にフォーカスレンズ３が設けられていると共に後方が開放されている前部筐体４と、前部筐体４に対して後方に配されており、後壁６にフォーカスレンズ３を介して投光されるべき光を発光する光源７が設けられていると共に前方が開放されている後部筐体８と、前部筐体４及び後部筐体８間に配されていると共に当該前部筐体４の後方の部位及び当該後部筐体８の前方の部位を取り囲んでいる中部筐体９と、前部筐体４を中部筐体９に対して相対的にＸ方向に移動自在に連結する前部連結機構１０と、後部筐体８を中部筐体９に対して相対的にＸ方向に移動自在に連結する後部連結機構１１と、操作により前部筐体４を中部筐体９に対して後方移動させると共に当該後方移動と同期して後部筐体８を中部筐体９に対して前方移動させる一方、前部筐体４を中部筐体９に対して前方移動させると共に当該前方移動と同期して後部筐体８を中部筐体９に対して後方移動させる前後移動操作手段１２とを具備しており、前部筐体４のＸ方向に伸びた周壁２２は、中部筐体９の内部において後部筐体８と重ね合わされて配置可能となるように、後部筐体８のＸ方向に伸びた周壁３２に対して外周側又は内周側、本例では外周側に配されており、前後移動操作手段１２は、中部筐体９に回転自在に支持されていると共に中部筐体９に対する回転軸心Ｃ１から離反した一対の操作部８１及び８２を有した棒状操作部材８３と、棒状操作部材８３を前部筐体４及び後部筐体８に連結しており、操作により回転される棒状操作部材８３の当該回転を前部筐体４の中部筐体９に対する後方移動力として前部筐体４に伝達すると共に後部筐体８の中部筐体９に対する前方移動力として後部筐体８に伝達する一方、操作により逆回転される棒状操作部材８３の当該逆回転を前部筐体４の中部筐体９に対する前方移動力として前部筐体４に伝達すると共に後部筐体８の中部筐体９に対する後方移動力として後部筐体８に伝達する操作伝達手段９９とを具備しているために、光源７とフォーカスレンズ３との最大離間距離はより長く、光源７とフォーカスレンズ３との最小離間距離はより短く相対的に変動させることができ、また、光源７とフォーカスレンズ３との離間距離を最小にすることで照明装置１全体をコンパクトにし得、搬送、設置の容易化を図り得、加えて、光源７とフォーカスレンズ３との距離の変動操作を簡単に行い得、例えば図１５に示すように、照明装置１が天井等に吊り下げられている場合においても、先端にフックが形成された操作棒７６で棒状操作部材８３の一対の操作部８１及び８２のいずれかを引き下げ操作することで光源７とフォーカスレンズ３との距離の変動操作を簡単に行い得る。
【００４４】
照明装置１によれば、光源７は、複数個の発光ダイオード４１が配置された平面状の発光面４２を有しているために、照明装置１の発熱量、消費電力を大幅に減少させ得る。
【符号の説明】
【００４５】
１  照明装置
３  フォーカスレンズ
４  前部筐体
７  光源
８  後部筐体
９  中部筐体
１０  前部連結機構
１１  後部連結機構
１２  前後移動操作手段
８３  棒状操作部材
９９  操作伝達手段
【図１】
2011086559.tif 000003
【図２】
2011086559.tif 000004
【図３】
2011086559.tif 000005
【図４】
2011086559.tif 000006
【図５】
2011086559.tif 000007
【図６】
2011086559.tif 000008
【図７】
2011086559.tif 000009
【図８】
2011086559.tif 000010
【図９】
2011086559.tif 000011
【図１０】
2011086559.tif 000012
【図１１】
2011086559.tif 000013
【図１２】
2011086559.tif 000014
【図１３】
2011086559.tif 000015
【図１４】
2011086559.tif 000016
【図１５】
2011086559.tif 000017